(57)【要約】【課題】色差信号復調時に従来のシステムにおいては、Ｇ−Ｙ信号の合成においてＲ−Ｙ信号とＢ−Ｙ信号の影響が大きく、色再現の範囲を狭めることになっている。【解決手段】Ｒ−Ｙ入力信号１０１とＢ−Ｙ入力信号１０２を受けて、演算回路１２１を通して３つの色差信号出力に対して、データ発生回路１２２で作られるパラメータを用いて他の色差信号の影響を受けずに独立して演算したＲ−Ｙ出力信号１１８、Ｂ−Ｙ出力信号１１９、Ｇ−Ｙ出力信号１２０を得る。【選択図】  図１
2004236271.tif 000002
【特許請求の範囲】
【請求項１】
２つの色差入力信号（Ｒ−Ｙ入力信号、Ｂ−Ｙ入力信号）から、３つの色差出力信号（Ｒ−Ｙ出力信号、Ｂ−Ｙ出力信号、Ｇ−Ｙ出力信号）を生成する色差信号復調回路であって、前記２つの色差入力信号のそれぞれに対して、前記３つの色差出力信号に対応した３つの乗算回路と、前記乗算器に対して相互に独立した演算パラメータを供給するデータ発生回路と、前記３つの色差出力信号に対応した３つの加算回路とを少なくとも有することを特徴とする色差信号復調回路。
【請求項２】
請求項１記載の色差信号復調回路であって、少なくとも、演算をおこなうプログラムを格納したプログラム格納回路と、前記プログラム格納回路からロードした前記プログラムを用いて演算を行うプログラマブル演算回路とを、有する事を特徴とする色差信号復調回路。
【発明の詳細な説明】
【０００１】
【発明の属する技術分野】
本発明は、テレビジョン受像機やその他映像受信機に関する色差信号復調回路に関するものである。
【０００２】
【従来の技術】
近年、テレビジョン受像機や映像受信機の色信号入力にはさまざまな形態があるが、その中で複合映像信号から抽出される色搬送波信号と色差映像信号については最終受像素子を駆動させるため、Ｒ−Ｙ、Ｂ−Ｙの信号からＧ−Ｙの信号を作り出す必要があった（たとえば特許文献１参照）。図４に特許文献１に記載された色差信号復調回路の例を示す。
【０００３】
図４において、１１は入力のＲ−Ｙ信号、１２は入力のＢ−Ｙ色差信号、１６は入力されたＲ−Ｙ信号、Ｂ−Ｙ信号について入力時の位相関係からずらすための任意の角度を設定するデータ入力、１７は１６のデータ入力をもとにＲ−Ｙ信号、Ｂ−Ｙ信号のゲイン調整値を演算する三角関数演算器、１８、１９、２０、２１は１７の演算器からの出力に応じてゲインを変化させるゲイン調整回路、２２は１８からの出力と２０からの出力を加算し、１３のＲ−Ｙ出力信号を得る加算回路、２３は１９からの出力と２１からの出力を加算し、１５のＢ−Ｙ出力信号を得る加算回路、２５、２６は２２からのＲ−Ｙ出力信号振幅を減衰させるための抵抗、２７、２８は２３からのＢ−Ｙ出力信号振幅を減衰させるための抵抗、２４は２５、２６で減衰されたＲ−Ｙ出力信号と、２７、２８で減衰されたＢ―Ｙ出力信号を加算する加算回路、２９は２４の加算回路の出力の極性を反転させる極性反転回路、１５は２９の極性反転回路の出力から得られるＧ−Ｙ出力信号である。図５を用いてこの回路の動作を説明する。図５の（ａ）が理想的な色差信号入力に対するＲ−Ｙ信号、Ｂ−Ｙ信号、Ｇ−Ｙ信号のベクトルである。Ｒ−Ｙ信号とＢ−Ｙ信号が９０°の位相差をもって入力された場合、Ｇ−Ｙ信号はその信号の一定率のもとに合成され、極性を反転されることで正規のＧ−Ｙ信号の位相に収まる。ここではＰｂ（Ｇ−Ｙ）をＧ−Ｙ信号をつくるための減衰したＢ−Ｙ信号とし、Ｐｒ（Ｇ−Ｙ）をＧ−Ｙ信号をつくるための減衰されたＲ−Ｙ信号とし、これを合成したものを−（Ｇ−Ｙ）とし、極性を逆にすることでＧ−Ｙ信号を得る。図４でいうと２５、２６の抵抗でＧ−Ｙ信号をＲ−Ｙ信号の振幅を決定し、２７、２８の抵抗でＧ−Ｙ信号をつくるためのＢ−Ｙ信号の振幅を決定し、２４の加算回路で合成し、２９の極性反転回路で極性を反転させることでＧ−Ｙ信号を発生させることになる。図５の（ｂ）はＲ−Ｙ信号とＢ−Ｙ信号をそれぞれθＲ、θＢだけ位相した状態での出力のＲ−Ｙ信号、Ｂ−Ｙ信号、Ｇ−Ｙ信号のベクトルである。Ｒ−Ｙ信号とＢ−Ｙ信号は図５の（ａ）で示された理想的な直交状態から１６で入力されたデータをもとに１７の三角関数演算器で算出されたデータで１８、１９、２０、２１のゲインを調整し、２２と２３でおのおのの成分を加算することでＲ−Ｙ出力信号となる（Ｒ−Ｙｏｕｔ）と、Ｂ−Ｙ出力信号となる（Ｂ−Ｙｏｕｔ）にそれぞれ移送することができる。Ｇ−Ｙ出力信号は移送されたＲ−Ｙ出力信号（Ｒ−Ｙｏｕｔ）とＢ−Ｙ出力信号（Ｂ−Ｙｏｕｔ）から作られるので、おのおの前記のＰｂ（Ｇ−Ｙ）、Ｐｒ（Ｇ−Ｙ）から移送されたＰｂ２（Ｇ−Ｙ）、Ｐｒ２（Ｇ−Ｙ）とが合成されて、−（Ｇ−Ｙｏｕｔ）ができ、その極性を反転したＧ−Ｙ出力信号となる（Ｇ−Ｙｏｕｔ）が作られる。この図からわかるように、入力信号から移送された色差信号出力から作られたＧ−Ｙ出力信号（Ｇ−Ｙｏｕｔ）はＲ−Ｙ信号とＢ−Ｙ信号との位相ずれの影響を必ずけることになる。
【０００４】
【特許文献１】
特開平０４−２０７７８３号公報
【０００５】
【発明が解決しようとする課題】
しかしながらこういった構成ではＧ−Ｙ出力信号はＲ−Ｙ出力信号とＢ−Ｙ出力信号の振幅と位相から演算されるので、任意の振幅と位相を得ることが難しく、Ｒ−Ｙ出力信号とＢ−Ｙ出力信号を調整するたびにＧ−Ｙ出力信号の位相も影響を受け、色再現性に限界が生じてくる。
【０００６】
【課題を解決するための手段】
上記問題を解決するために本発明の色差信号復調回路は、Ｒ−Ｙ入力信号、Ｂ−Ｙ入力信号をそれぞれ別々のパラメータで演算する構成によって、Ｇ−Ｙ出力信号についてもＲ−Ｙ出力信号とＢ−Ｙ出力信号の振幅・位相の影響を受けずに任意に振幅・位相を設定できるようにすることができ、なおかつＲ−Ｙ出力信号、Ｂ−Ｙ出力信号も任意の設定に再現することができることで色再現性の範囲を拡大することができる。
【０００７】
【発明の実施の形態】
本願の第１の発明は、２つの色差入力信号（Ｒ−Ｙ入力信号、Ｂ−Ｙ入力信号）から、３つの色差出力信号（Ｒ−Ｙ出力信号、Ｂ−Ｙ出力信号、Ｇ−Ｙ出力信号）を生成する色差信号復調回路であって、前記２つの色差入力信号のそれぞれに対して、前記３つの色差出力信号に対応した３つの乗算回路と、前記乗算器に対して相互に独立した演算パラメータを供給するデータ発生回路と、前記３つの色差出力信号に対応した３つの加算回路とを少なくとも有するように構成した色差信号復調回路であり、Ｒ−Ｙ入力信号またはＲ−Ｙ出力信号とＢ−Ｙ入力信号またはＢ−Ｙ出力信号の位相の影響を必ずしもＧ−Ｙ出力信号が受けることなく、色再現の自由度が拡大するという作用を有する。
【０００８】
本願の第２の発明は、第１の発明の色差信号復調回路であって、少なくとも、演算をおこなうプログラムを格納したプログラム格納回路と、前記プログラム格納回路からロードした前記プログラムを用いて演算を行うプログラマブル演算回路とを、有するように構成したもので、色差信号をデジタル符号化することで固定回路のみならず、プログラマブルに演算することが可能になり、回路を簡略化でき、演算式も任意に可変可能となる作用を有する。
【０００９】
（実施の形態１）
本発明の実施の形態１について図１、図２を用いて説明する。図１は、１２１で示される演算回路は色差信号のＲ−Ｙ入力信号とＢ−Ｙ入力信号をそれぞれデータ発生回路１２２から供給される１０９、１１０、１１１、１１２、１１３、１１４のパラメータをもって乗算回路１０３、１０４、１０５、１０６、１０７、１０８と加算回路１１５、１１６、１１７を用いて演算し、Ｒ−Ｙ出力信号１１８、Ｂ−Ｙ出力信号１１９、Ｇ−Ｙ出力信号１２０を得る。
【００１０】
図２に示すように、Ｒ−Ｙ出力信号（Ｒ−Ｙｏｕｔ）の位相・振幅は入力信号１０１、１０２とパラメータ１０９、１１２で任意に補正可能であり、Ｂ−Ｙ出力信号（Ｂ−Ｙｏｕｔ）の位相・振幅は入力信号１０１、１０２とパラメータ１１０、１１３で任意に補正可能であり、Ｇ−Ｙ出力信号（Ｇ−Ｙｏｕｔ）の位相・振幅は入力信号１０１、１０２とパラメータ１１１、１１４で任意に補正可能である。各出力信号は全て入力信号１０１、１０２から生成されるが、１０１、１０２の入力振幅を各々の出力信号ごとに任意に設定できることが図４のシステムと違い、Ｒ−Ｙ入力信号またはＲ−Ｙ出力信号とＢ−Ｙ入力信号またはＢ−Ｙ出力信号の位相の影響を必ずしもＧ−Ｙ出力信号が受けることなく、色再現の自由度が拡大する。色飽和度や色あい補性のように３つの出力信号の振幅・位相を同時に同じ振幅比率・角度で動かしたい場合もデータ発生回路に三角関数での演算結果を入力してやることで可能である。
【００１１】
（実施の形態２）
本発明の実施の形態２について図３を用いて説明する。図３は、１３６で示される演算回路はデジタル符号化された色差信号のＲ−Ｙ入力信号１３１とＢ−Ｙ入力信号１３２をＲＯＭなどのプログラム格納装置１３７から設定されたプログラムで動作し、この演算回路で演算した結果により任意のＲ−Ｙデジタル出力信号１３３、Ｂ−Ｙデジタル出力信号１３４、Ｇ−Ｙデジタル出力信号１３５を得る。
【００１２】
色差信号をデジタル符号化することで固定回路のみならず、プログラマブルに演算することも可能になり、回路を簡略化でき、演算式も任意に可変可能となる。もちろんデジタル符号化した際にも図１の回路構成は可能であり、効果も図２と同様できるので効果には何の差異も無い。
【００１３】
【発明の効果】
以上のように本発明は、色差信号復調処理において、Ｒ−Ｙ入力信号とＢ−Ｙ入力信号から、Ｒ−Ｙ信号出力、Ｂ−Ｙ信号出力、Ｇ−Ｙ信号出力を得る際に、出力信号ごとに演算パラメータを任意に設定できる、もしくは演算式を設定できることで、各々の色の位相・振幅に影響されない色差復調を可能にし、色再現の範囲を拡大することが可能となる。
【図面の簡単な説明】
【図１】本発明の実施の形態１における色差信号復調回路のブロック構成図
【図２】本発明の実施の形態１における色差信号復調回路の動作イメージ図
【図３】本発明の実施の形態２における色差信号復調回路のブロック構成図
【図４】従来例における色差信号復調回路のブロック構成図
【図５】従来例における色差信号復調回路の動作イメージ図
（ａ）Ｒ−Ｙ信号とＢ−Ｙ信号が直交の位相関係で入力されたときのＧ−Ｙ信号出力を示す図
（ｂ）Ｒ−Ｙ信号とＢ−Ｙ信号が各々違った位相で再現された場合のＧ−Ｙ信号出力を示す図
【符号の説明】
１０１  Ｒ−Ｙ色差入力信号
１０２  Ｂ−Ｙ色差入力信号
１０３、１０４、１０５、１０６、１０７、１０８  乗算回路
１０９、１１０、１１１、１１２、１１３、１１４  パラメータ
１１５、１１６、１１７  加算回路
１１８  Ｒ−Ｙ色差出力信号
１１９  Ｂ−Ｙ色差出力信号
１２０  Ｇ−Ｙ色差出力信号
１２１  演算回路
１２２  データ発生回路
１３１  デジタル符号化されたＲ−Ｙ色差入力信号
１３２  デジタル符号化されたＢ−Ｙ色差入力信号
１３３  Ｒ−Ｙ色差デジタル出力信号
１３４  Ｂ−Ｙ色差デジタル出力信号
１３５  Ｇ−Ｙ色差デジタル出力信号
１３６  プログラマブル演算回路
１３７  プログラム格納装置
１１  Ｒ−Ｙ色差入力信号
１２  Ｂ−Ｙ色差入力信号
１３  Ｒ−Ｙ色差出力信号
１４  Ｂ−Ｙ色差出力信号
１５  Ｇ−Ｙ色差出力信号
１６  データ入力
１７  三角関数演算器
１８、１９、２０、２１  ゲイン調整回路
２２、２３、２４  加算回路
２５、２６、２７、２８  抵抗
２９  極性反転回路
【図１】
2004236271.tif 000003
【図２】
2004236271.tif 000004
【図３】
2004236271.tif 000005
【図４】
2004236271.tif 000006
【図５】
2004236271.tif 000007